【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】
主走査方向に間隔をあけて配置された複数の発光部を有する光源手段と、前記複数の発光部から出射された複数の光束を主走査方向に偏向する光偏向器と、前記光偏向器の偏向面にて偏向された複数の光束を被走査面上に結像させる結像光学系と、前記光偏向器の偏向面にて偏向された複数の光束を検出して、前記被走査面上での複数の光束の各々の画像記録の走査開始位置のタイミングを決める同期信号を発生する同期検出素子と、前記光偏向器の偏向面にて偏向された複数の光束を前記同期検出素子に導光する同期検出用光学素子と、を有するマルチビーム走査光学装置であって、
前記同期検出素子に導光される複数の光束は、前記結像光学系を通過することなく前記同期検出用光学素子に入射しており、
前記光源手段の隣接する発光部間隔の主走査方向の距離をＬ、前記結像光学系の主走査断面内の焦点距離をｆＳＣ、前記同期検出用光学素子の主走査断面内の焦点距離をｆＢＤとしたとき、
０．０２（ｍｍ）／Ｌ＜ｆＢＤ／ｆＳＣ＜１．０
なる条件を満足することを特徴とするマルチビーム走査光学装置。
【請求項２】
前記複数の発光部から出射された複数の光束の各々の波長をλ、前記複数の発光部から出射された複数の光束の各々の主走査断面内の射出ＦナンバーをＦｍｉとしたとき、
Ｆｍｉ＜Ｌ／（６．６５６×λ）×（ｆＢＤ／ｆＳＣ）
なる条件を満足することを特徴とする請求項１に記載のマルチビーム走査光学装置。
【請求項３】
請求項１又は２に記載のマルチビーム走査光学装置と、外部機器から入力したコードデータを画像信号に変換して前記マルチビーム走査光学装置に入力せしめるプリンタコントローラとから成ることを特徴とする画像形成装置。
【手続補正２】
【補正対象書類名】明細書
【補正対象項目名】００１２
【補正方法】変更
【補正の内容】
【００１２】
【課題を解決するための手段】
請求項１の発明のマルチビーム走査光学装置は、主走査方向に間隔をあけて配置された複数の発光部を有する光源手段と、前記複数の発光部から出射された複数の光束を主走査方向に偏向する光偏向器と、前記光偏向器の偏向面にて偏向された複数の光束を被走査面上に結像させる結像光学系と、前記光偏向器の偏向面にて偏向された複数の光束を検出して、前記被走査面上での複数の光束の各々の画像記録の走査開始位置のタイミングを決める同期信号を発生する同期検出素子と、前記光偏向器の偏向面にて偏向された複数の光束を前記同期検出素子に導光する同期検出用光学素子と、を有するマルチビーム走査光学装置であって、
前記同期検出素子に導光される複数の光束は、前記結像光学系を通過することなく前記同期検出用光学素子に入射しており、
前記光源手段の隣接する発光部間隔の主走査方向の距離をＬ、前記結像光学系の主走査断面内の焦点距離をｆＳＣ、前記同期検出用光学素子の主走査断面内の焦点距離をｆＢＤとしたとき、
０．０２（ｍｍ）／Ｌ＜ｆＢＤ／ｆＳＣ＜１．０
なる条件を満足することを特徴としている。
【手続補正３】
【補正対象書類名】明細書
【補正対象項目名】００１３
【補正方法】変更
【補正の内容】
【００１３】
請求項２の発明は請求項１の発明において、前記複数の発光部から出射された複数の光束の各々の波長をλ、前記複数の発光部から出射された複数の光束の各々の主走査断面内の射出ＦナンバーをＦｍｉとしたとき、
Ｆｍｉ＜Ｌ／（６．６５６×λ）×（ｆＢＤ／ｆＳＣ）
なる条件を満足することを特徴としている。
【手続補正４】
【補正対象書類名】明細書
【補正対象項目名】００１４
【補正方法】変更
【補正の内容】
【００１４】
請求項３の発明の画像形成装置は、請求項１又は２に記載のマルチビーム走査光学装置と、外部機器から入力したコードデータを画像信号に変換して前記マルチビーム走査光学装置に入力せしめるプリンタコントローラとから成ることを特徴としている。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００４４
【補正方法】変更
【補正の内容】
【００４４】
マルチビーム半導体レーザー１の隣接する発光点間隔の主走査方向の距離（隣接する発光点間隔の線分を主走査断面に投射したときの距離）をＬ（mm）、該マルチビーム半導体レーザー１と感光ドラム面８間の主走査方向の横倍率をｍ、走査光学素子６とＢＤレンズ７の主走査方向(主走査断面内)の焦点距離を各々ｆＳＣ（mm）、ｆＢＤ（mm）としたとき、
感光ドラム面８上での主走査方向の隣接する２本の光束のスポット間隔Ｓ１（mm)は、
Ｓ１＝ｍ・Ｌ
同期検出位置（ＢＤスリット位置）での主走査方向の隣接スポット間隔Ｓ２（mm)は、
Ｓ２＝ｍ・Ｌ×（ｆＢＤ／ｆＳＣ）
となる。
【手続補正２５】
【補正対象書類名】明細書
【補正対象項目名】００８２
【補正方法】変更
【補正の内容】
【００８２】
この条件より、
ｍ・Ｌ・（ｆＢＤ／ｆＳＣ）＞  ２×３．３２８・λ・Ｆｍｅ
（Ｆｍｅ／Ｆｍｉ）×Ｌ×（ｆＢＤ／ｆＳＣ）＞  ６．６５６・λ・Ｆｍｅ
Ｆｍｉ＜  Ｌ／（６．６５６・λ）×（ｆＢＤ／ｆＳＣ）‥（３）
但し、
Ｆｍｉ：マルチビーム半導体レーザーから出射する複数の光束の走査方向（主走査断面内）の射出ＦＮＯ
となるマルチビーム半導体レーザー１の射出ＦＮＯを選択することが必要となる。またＢＤ光学系１３のコンパクト化を図るためには同時に、
ｆＢＤ／ｆＳＣ＜１．０
も満足する必要がある。